(57)【要約】【課題】  クレーンなどの操作を誤ったとしても、カウンタウエイトが上部旋回体に衝突することを防止できる構造を備えた建設機械を提供する。【解決手段】  下部走行体１２と、下部走行体の上部に旋回可能に設けた上部旋回体１３と、上部旋回体の前部に設けた作業装置（ブーム１５）とを備え、上部旋回体の後端下部に、カウンタウエイト搭載部１６を突設した建設機械において、カウンタウエイト搭載部の前端と上部旋回体の後端との間に、カウンタウエイト搭載部に搭載するカウンタウエイト１７と上部旋回体の後端との接触を防止する接触防止壁２９を設ける。【選択図】  図１
2015178732.tif 000002
【特許請求の範囲】
【請求項１】
下部走行体と、該下部走行体の上部に旋回可能に設けた上部旋回体と、該上部旋回体の前部に設けた作業装置とを備え、前記上部旋回体の後端下部に、カウンタウエイト搭載部を突設した建設機械において、前記カウンタウエイト搭載部の前端と前記上部旋回体の後端との間に、カウンタウエイト搭載部に搭載するカウンタウエイトと上部旋回体の後端との接触を防止する接触防止壁を設けたことを特徴とする建設機械。 
【発明の詳細な説明】
【技術分野】
【０００１】
本発明は、建設機械に関し、詳しくは、前部に作業装置を備えた上部旋回体の後部にカウンタウエイトを着脱可能に搭載するカウンタウエイト搭載部を備えた建設機械に関する。
【背景技術】
【０００２】
クレーンや杭打機などの大型の建設機械は、一般に、下部走行体と、該下部走行体の上部に旋回可能に設けた上部旋回体と、該上部旋回体の前部に設けた作業装置とを備えており、上部旋回体の後端下部には、カウンタウエイト搭載部が突設され、該カウンタウエイト搭載部にカウンタウエイトを着脱可能に搭載するようにしている。大型の建設機械を運搬する際には、下部走行体、上部旋回体、作業装置及びカウンタウエイトを分解して別々に運搬し、現場でこれらを組み立てて使用している。カウンタウエイト搭載部へのカウンタウエイトの着脱は、他のクレーンを使用したり、上部旋回体の後部に起伏可能に設けられているＡフレーム（ガントリ）を利用したりして行われている（例えば、特許文献１参照。）。
【先行技術文献】
【特許文献】
【０００３】
【特許文献１】特開２０００−１４３１６４号公報
【発明の概要】
【発明が解決しようとする課題】
【０００４】
カウンタウエイト搭載部にカウンタウエイトを搭載する際に、クレーンなどの操作を誤ったりすると、カウンタウエイトが上部旋回体の後端部に衝突することがある。上部旋回体の後部にカウンタウエイトが衝突すると、上部旋回体の後部が破損するため、修理に時間や費用が掛かり、建設機械の稼働効率も低下するなど、大きな損失となる。
【０００５】
そこで本発明は、クレーンなどの操作を誤ったとしても、カウンタウエイトが上部旋回体に衝突することを防止できる構造を備えた建設機械を提供することを目的としている。
【課題を解決するための手段】
【０００６】
上記目的を達成するため、本発明の建設機械は、下部走行体と、該下部走行体の上部に旋回可能に設けた上部旋回体と、該上部旋回体の前部に設けた作業装置とを備え、前記上部旋回体の後端下部に、カウンタウエイト搭載部を突設した建設機械において、前記カウンタウエイト搭載部の前端と前記上部旋回体の後端との間に、カウンタウエイト搭載部に搭載するカウンタウエイトと上部旋回体の後端との接触を防止する接触防止壁を設けたことを特徴としている。
【発明の効果】
【０００７】
本発明の建設機械によれば、カウンタウエイトが上部旋回体に衝突することを接触防止壁によって防止でき、上部旋回体を保護することができる。
【図面の簡単な説明】
【０００８】
【図１】本発明の建設機械の一形態例を示すベースマシンの側面図である。
【図２】同じく平面図である。
【図３】同じく要部の平面図である。
【図４】同じく要部の背面図である。
【図５】図４のＶ−Ｖ断面図である。
【図６】建設機械の一つであるアースドリルの一例を示す側面図である。
【発明を実施するための形態】
【０００９】
図６は、本発明の建設機械の一つであるアースドリルを示している。このアースドリル１１は、下部走行体１２と、該下部走行体１２の上部に旋回可能に設けた上部旋回体１３とを備えたベースマシン１４と、前記上部旋回体１３の前部に起伏可能に設けられた作業装置であるブーム１５とを備えるとともに、前記上部旋回体１３の後端下部には、カウンタウエイト搭載部１６が突設されており、該カウンタウエイト搭載部１６には、作業中のベースマシン１４のバランスをとるための複数のカウンタウエイト１７が積み重ねられた状態で搭載されている。
【００１０】
図１乃至図５に示すように、上部旋回体１３は、幅方向中央に設けられたウインチ搭載部１８と、該ウインチ搭載部１８を挟んで上部旋回体１３の左側に設けられたエンジン収納ハウス１９と、上部旋回体１３の右側に設けられた機器収納ハウス２０及び該機器収納ハウス２０の最前部に設けられた運転室２１とを備えている。
【００１１】
前記ブーム１５には、該ブーム１５の先端部から垂下した主巻ワイヤ２２にスイベルジョイント２３を介してケリーバ２４が回転可能かつ昇降可能に吊り下げられるとともに、ブーム１５の下部から複数のアームやシリンダ２５によってケリーバ２４を回転駆動するためのケリーバ回転駆動装置２６が支持されている。ケリーバ２４の下端には、作業内容に応じて掘削バケットや拡底バケット２７が装着される。
【００１２】
カウンタウエイト１７は、２枚の鋼製厚板を積層して周囲をカバー材１７ａで覆った偏平な直方体形状のものであって、上面の２箇所には吊り金具２８がそれぞれ取り付けられている。さらに、図示は省略するが、各カウンタウエイト１７には、上下に積み重ねたときの相互の位置決めを図る位置決め部材や、カウンタウエイト搭載部１６に全てのカウンタウエイト１７を搭載したときに全てのカウンタウエイト１７をカウンタウエイト搭載部１６にまとめて固定するための固定手段がそれぞれ設けられている。
【００１３】
カウンタウエイト搭載部１６は、平面視が前記カウンタウエイト１７と同様の形状で、厚さが数倍の直方体形状を有する鋼製ブロックからなるものであって、接触防止壁２９と一体化してカウンタウエイトの機能の一部を構成している。カウンタウエイト搭載部１６及び接触防止壁２９は、両者を貫通し、更に上部旋回体１３のフレーム後端部１３ａを貫通した長尺のボルト３０をナットで締結することによって上部旋回体１３の後端に固着されている。
【００１４】
接触防止壁２９は、カウンタウエイト１７と上部旋回体１３の後端、すなわち、エンジン収納ハウス１９や機器収納ハウス２０の後端部との接触を防止するためのもので、カウンタウエイト１７を着脱する際に、カウンタウエイト１７が接触防止壁２９に衝突しても大きく変形しない強度を有する鋼製ブロックにより形成されている。また、接触防止壁２９の高さは、各ハウス１９，２０の後端上部にカウンタウエイト１７が衝突しない程度に設定され、横幅は、両ハウス１９，２０の間に収まる程度に設定されている。
【００１５】
さらに、接触防止壁２９の上部には、所定のカウンタウエイト１７、本形態例では２段目及び４段目のカウンタウエイト１７にそれぞれ埋め込んだ状態の雌ネジ部材３１に螺合するボルト３２の挿通部が設けられており、カウンタウエイト搭載部１６にカウンタウエイト１７を搭載した状態で、接触防止壁２９の挿通部に挿通したボルト３２を雌ネジ部材３１に螺合することにより、カウンタウエイト１７を接触防止壁２９に固定した状態にできるようにしている。
【００１６】
このような接触防止壁２９を設けることにより、カウンタウエイト搭載部１６の上に、各カウンタウエイト１７を一つずつクレーンなどで吊り上げて積み重ねていく際に、操作を誤ってカウンタウエイト１７が前方に揺れても、接触防止壁２９によって各ハウス１９，２０の後端部にカウンタウエイト１７が衝突することを防止できる。
【００１７】
したがって、カウンタウエイト１７の衝突によって各ハウス１９，２０の後端部が損傷を受けることがなくなり、各ハウス１９，２０の外観を保持できるとともに、修理に要するコストの削減を図ることができる。
【００１８】
なお、カウンタウエイト搭載部やカウンタウエイトの形状は任意であり、上部旋回体の後部形状や重量などの条件に応じて適宜な形状に形成することができる。さらに、本形態例では、建設機械としてアースドリルを例示したが、本発明は、クレーンや杭打機など、上部旋回体の後部にカウンタウエイトを着脱可能に搭載する各種建設機械に適用することができる。また、接触防止壁の形状や設置位置は、上部旋回体の後部形状に応じて適宜に設定することができ、例えば、上部旋回体の幅方向全体に接触防止壁を設けてもよく、上部旋回体の幅方向両端部の２箇所に接触防止壁をそれぞれ設けてもよい。さらに、接触防止壁の高さをカウンタウエイト搭載高さ以上にすることもできる。
【符号の説明】
【００１９】
１１…アースドリル、１２…下部走行体、１３…上部旋回体、１３ａ…フレーム後端部、１４…ベースマシン、１５…ブーム、１６…カウンタウエイト搭載部、１７…カウンタウエイト、１７ａ…カバー材、１８…ウインチ搭載部、１９…エンジン収納ハウス、２０…機器収納ハウス、２１…運転室、２２…主巻ワイヤ、２３…スイベルジョイント、２４…ケリーバ、２５…シリンダ、２６…ケリーバ回転駆動装置、２７…拡底バケット、２８…吊り金具、２９…接触防止壁、３０…ボルト、３１…雌ネジ部材、３２…ボルト
【図１】
2015178732.tif 000003
【図２】
2015178732.tif 000004
【図３】
2015178732.tif 000005
【図４】
2015178732.tif 000006
【図５】
2015178732.tif 000007
【図６】
2015178732.tif 000008